(57)【特許請求の範囲】
【請求項１】
化学発光体が施された証票印刷物の真偽判別をするための判別用具であって、該真偽判別用具は、不透光素材からなる容器と、該容器内面に施され、化学発光体から発せられる発光を受けて二次励起して発光する蛍光染料と、化学発光体から発せられる光および蛍光染料の二次発光による光を検知する光検知センサとを備えて構成されていることを特徴とする券類等証票印刷物の真偽判別用具。
【請求項２】
化学発光体が施された証票印刷物の真偽判別をするための判別方法であって、該真偽判別方法は、不透光素材からなる容器の内面に化学発光体から発せられる発光を受けて二次励起して発光する蛍光染料を施し、化学発光体から発せられる光および蛍光染料の二次発光による光で増感したものを光検知センサで検知して真偽判別をするようにしたことを特徴とする券類等証票印刷物の真偽判別方法。
【発明の詳細な説明】
【技術分野】
【０００１】
本発明は、乗車券、急行券、特急券、指定席券、入場券、金券、食券等、多種多様の券類等の証票印刷物の真偽判別用具および真偽判別方法の技術分野に属するものである。
【背景技術】
【０００２】
今日、乗車券、急行券、特急券、指定席券、入場券、金券、食券等、多種多様の券類等の証票印刷物が発行されているが、これらの偽造が後を絶たないのが現実である。そこで例えば、券類の表面に発色剤を塗布しておく一方、スタンプに使用するインクに、前記発色剤と反応して発色する色素を加え、スタンプが押された部分のカード基体の色の変化によりカード類の真偽（真がん）を判別するようにしたものが知られている（例えば特許文献１）。
ところが今日、券類等の証票印刷物の表面全体を着色するものが多く、前記従来のもののように発色による真偽判別とした場合に、証票印刷物の表面全体に予め施された色と、真偽判別のための色とが紛らわしいことが想定され、このようなときには真偽判別が難しいという問題がある。そのうえ、スタンプを押した部分が発色するため、この発色状態を確認するだけで偽造防止の仕掛けがあることを見破られてしまい、偽造者がこれに気づいて該当する色彩のインクで意図的にスタンプすること等で偽造されてしまうという問題がある。
そこで証票印刷物の表面にルミノール反応するときの正触媒であるコバルトイオンを仕込んでおき、真偽判断が要求されたとき、過酸化水素を含有したルミノールのアルカリ溶液を付着させ、ルミノール発光の有無によって真偽判定をするようにし、そしてこの際に、外光が強く、発光状態を確認しづらい場合、箱状の遮光フードを用いて外光の侵入を避けるようにしたものを提唱した（特許文献２）。
【特許文献１】特開平６−５５８８２号公報
【特許文献２】特開２００３−８５６１３号公報
【発明の開示】
【発明が解決しようとする課題】
【０００３】
ところが前記遮光フードを用いたものあっても、前記付着した正触媒が何らかの理由により落ちたりして濃度低下を来たしているような場合、どうしても見づらくこのようなときには見誤りが発生する惧れがあり、ここに本発明が解決せんとする課題がある。
【課題を解決するための手段】
【０００４】
本発明は、上記の如き実情に鑑みこれらの課題を解決することを目的として創作されたものであって、請求項１の発明は、化学発光体が施された証票印刷物の真偽判別をするための判別用具であって、該真偽判別用具は、不透光素材からなる容器と、該容器内面に施され、化学発光体から発せられる発光を受けて二次励起して発光する蛍光染料と、化学発光体から発せられる光および蛍光染料の二次発光による光を検知する光検知センサとを備えて構成されていることを特徴とする券類等証票印刷物の真偽判別用具である。
請求項２の発明は、化学発光体が施された証票印刷物の真偽判別をするための判別方法であって、該真偽判別方法は、不透光素材からなる容器の内面に化学発光体から発せられる発光を受けて二次励起して発光する蛍光染料を施し、化学発光体から発せられる光および蛍光染料の二次発光による光で増感したものを光検知センサで検知して真偽判別をするようにしたことを特徴とする券類等証票印刷物の真偽判別方法である。
【発明の効果】
【０００５】
請求項１または２の発明とすることで、証票印刷物に施した化学発光体から発せられる光が弱い場合であっても、該光は容器内面に施した蛍光染料が二次励起されることで光を発せられることになって増感され、これを光検知センサで検知するため、検知精度が向上し、真偽判別の制度を向上することができる。
【発明を実施するための最良の形態】
【０００６】
次ぎに、本発明の実施の形態について図面に基づいて説明する。本発明に用いる化学発光体はルミノール（Ｃ８Ｈ７Ｎ３Ｏ２：５−アミノ−２，３−ジヒドロ−１，４−フタラジオン（３−アミノフタル酸ヒドラジド））に代表される。ルミノールは、アルカリ溶液で可溶化した状態で、塩化コバルト（ＩＩ）（ＣｏＣｌ２）、硫酸銅（ＩＩ）（ＣｕＳＯ４）、あるいはヘミン（Ｃ３４Ｈ３２Ｏ４Ｎ４ＦｅＩＩＩＣｌ）等の化学発光反応を行わせるための正触媒の存在下で、過酸化水素、次亜塩素酸塩などの酸化剤（酸素）で酸化すると黄緑色の化学ルミネセンスを示す。
このような化学発光体（化学発光物質）としては、ルミノールに限定されず、イソルミノール、Ｎ−エチルイソルミノール、Ｎ−（４−アミノブチル）−Ｎ−エチルイソルミノールヘミサクシミド、Ｎ−（６−アミノヘキシル）−Ｎ−エチルイソルミノール等のルミノール類、さらにはロフィン、ルシゲニン、過シュウ酸エステルなどがあり、これら化学発光体のなかから任意に選択して採用できるが、ルミノール、イソルミノールが安定性や量子収率の点で好ましく、また、人体に対する影響を考えたとき、特にルミノールが好ましい。
【０００７】
一方、券類等の証票印刷物の表面（裏面も含む。以下同じ）には、前記正触媒から選択されたものを仕込んでおく。そして、該仕込まれた証票印刷物の表面に、調合（後述する調合も含む）されたルミノール溶液（例えばルミノール−水酸化ナトリウム−過酸化水素溶液、あるいはルミノール−炭酸水素ナトリウム／炭酸ナトリウム−過酸化水素溶液がある。以下同じ）を証票印刷物の表面に吹き付け、刷毛塗りする等して付着させ、証票印刷物の発光状態を、真偽判別用具を用いて確認する。
【０００８】
前記正触媒の証票印刷物への具体的な仕込み方法であるが、証票印刷物が、図１に示すような乗車券１である場合、その仕込み部１ａ、１ｂ、１ｃは、例えば、
（１）製作（製造）時に券面に予め任意の記号やマークを正触媒で印刷しておくか、インクに加えて文字等と共に印刷しておく。
（２）発券時に乗車券３に必要な文字等を印刷するインクに正触媒を加えておく（感熱印刷方式の場合にあっては、サーマルヘッドに正触媒のプリント機能を備えさせておくか、熱転写リボンに予め正触媒を加えておく）。
（３）発券時に券面の表裏任意の位置に正触媒を印刷しておくか、ゴム印等により押なつしておく。
（４）改札時にスタンプするインクに正触媒を加えておく（自動改札機にあっては、サーマルヘッドに正触媒のプリント機能を備えさせておくか、熱転写リボンに予め正触媒を加えておく）。
（５）検札時にスタンプするインクに正触媒を加えておく。
（６）途中下車時にスタンプするインクに正触媒を加えておく。
等して随時仕込むことができる。つまり、正触媒の仕込みは、券類の印刷時等に限定されず、製作時や発券後においても必要において随時実行できる。
正触媒は前述したように水溶液として仕込むことができが、その濃度はｐｍｏｌ  Ｌ−１（ピコモル  リットルのマイナス１乗）オーダーで良いから、券類に仕込んでおいても肉眼で仕込み処理がなされているか否かの判別をすることは全くできず、このため、証票印刷物は通常のものと見分けがつかず、いつ、どこでどの様な偽造対策処理が実施されているかを見破られる惧れがない。
【０００９】
そして真偽の確認を求められた場合、例えば証票印刷物が前記乗車券１で、旅客からの券類の払戻し請求等があったようなとき、前記調合されたルミノール溶液を券類に付着させ、ルミノールによる発光の有無により真偽の判断をすることになるが、そのため図２に示すような真偽判別用具２を用いることで、強い外光が存在するところでも容易に判別することができる。
【００１０】
前記真偽判別用具２は、不透光性素材を用いて形成され、下端面が開口し、天井面部３と筒状の側面部４とによって容器状体（蓋状体）に形成されている。そして本実施の形態では、側面部４の内周面に、ルミノールによる発光を受けて二次励起されて発光する蛍光染料が付着されている。
このような蛍光染料としては、例えば５，１２−ビスフェネチルナフタセン、テトラセン、９，１０−ジフェニルアントラセン、ペリレン、ルブレン、ローダミンＢ、ＤＮＳ−アラニン、３−メチルコランスレン、ローズベンガル、ＮＢＤ−プロリン、リボフラミン、フルオレセイン、ＳＢＤ−メルカプトエタノール、ウンペリフェロン、α−トコフェロール等、通常知られたもののなかから１種以上を適宜選択して使用することができる。
【００１１】
蛍光染料の付着方法としては、塗布であってもよく、また側面部４が樹脂材である場合、樹脂材に練り込んでおいても実施することができる。天井面部３には光検知センサ５が設けられていて真偽判別用具２内の光検知ができるようになっている。光検知センサ５としては、光電子倍増管、フォトダイオード、ＣＣＤ等、通常知られた光検知手段を用いることができる。勿論、光検知センサ５は、検知する光の強度を認識できるものである。
【００１２】
そしてこのものでは、ルミノール反応させた乗車券１を平滑な板状体の上に載置し、真偽判別用具２で該載置した乗車券１を覆蓋する。そして光検知センサ５でルミノール反応することで発せられる光検知をすることになるが、ルミノール反応によって発せられた光は、側面部４に施された蛍光染料によって二次励起され、これによって光が増感されたものになり、この増感された光を光検知センサ５が検知することになって、検知感度が向上し、真偽判別が容易になる。
【００１３】
叙述の如く構成された本発明の実施の形態において、乗車券１の真偽判別をするにあたり、予め乗車券１にルミノールの正触媒を施したものである場合、ルミノールの水酸化ナトリウム溶液と過酸化水素溶液とを今後したルミノール反応用液を券面に施せば、ルミノール反応が進んで化学発光することになるが、該化学発光から発せられる光が弱い場合、その真偽判断が難しいものになる。このようなとき、真偽判別用具２を乗車券１で覆い、光検知センサ５による光検知をすることになるが、このとき、乗車券１においてのルミノール反応が僅かであって、発せられる光が弱い場合であっても、該光は側面部４内面に施した蛍光染料が二次励起されることで光を発することになって増感され、これを光検知センサ５で検知することになるため、検知精度が向上し、真偽判別の制度を向上することができる。
【００１４】
尚、本発明は前記実施の形態に限定されないものであることは勿論であって、真偽判別用具２として、その形状は真偽判別をするための証票印刷物を覆い被せることができるものであれば特に特定されるものでなく、また蛍光染料としては容器内面の全体、一部のいずれであっても勿論よい。
【図面の簡単な説明】
【００１５】
【図１】乗車券の正面図である。
【図２】（Ａ）〜（Ｃ）真偽判別容器の正面図、平面図、斜視図である。
【符号の説明】
【００１６】
１    乗車券
１ａ、１ｂ、１ｃ  仕込み部
２    真偽判別用具
３    天井面部
４    側面部
５    光検知センサ
【図１】
0005074264.tif 000002
【図２】
0005074264.tif 000003